(57)【要約】【課題】バックライトの温度が低く赤外線量の放出が多い場合であっても、リモコンの受光感度の低下を防ぐ。【解決手段】マイコン１８は、液晶テレビの電源がＯＮとなって、消灯されていた蛍光ランプ６１の点灯を開始するときに、時計用発振子２０の発振等を用いて時間を計測し、その計測情報を光源駆動回路１５に出力する。光源駆動回路１５のマイコンは、電源がＯＮになったときには、バックライト１６の複数の蛍光ランプのうち一部の蛍光ランプのみを点灯させ、バックライト１６から放出される赤外線量を減らす。また、バックライト１６の温度を温度センサ２０によって計測し、計測した温度が所定温度より低い場合には、光源駆動回路１５によって一部の蛍光ランプ６１を消灯して蛍光ランプの点灯本数を減らすことにより、バックライト１６から放出される赤外線量を減らす。【選択図】図１
2007086632.tif 000002
【特許請求の範囲】
【請求項１】
液晶パネルと、該液晶パネルを照明する複数の蛍光ランプを備えたバックライトと、該バックライトの蛍光ランプの点灯を制御する点灯制御手段とを備える液晶表示装置であって、該液晶表示装置の操作を行うために使用するリモコン装置からの赤外線信号を受信する赤外線受光部を備えた液晶表示装置において、
該液晶表示装置は、該液晶表示装置の電源がＯＮになった時点からの時間を計測する時間計測手段を有し、
前記点灯制御手段は、前記時間計測手段による時間計測結果に基づいて、前記液晶表示装置の電源がＯＮになった時点から予め定められた時間が経過するまでの間は、前記複数の蛍光ランプのうち、所定の一部の蛍光ランプのみを点灯させることを特徴とする液晶表示装置。
【請求項２】
液晶パネルと、該液晶パネルを照明する複数の蛍光ランプを備えたバックライトと、該バックライトの蛍光ランプの点灯を制御する点灯制御手段とを備える液晶表示装置であって、該液晶表示装置の操作を行うために使用するリモコン装置からの赤外線信号を受信する赤外線受光部を備えた液晶表示装置において、
該液晶表示装置は、該液晶表示装置の電源がＯＮになった時点からの時間を計測する時間計測手段を有し、
前記点灯制御手段は、前記液晶表示装置の電源がＯＮになった時点で前記複数の蛍光ランプのうち、一部の蛍光ランプのみを点灯させ、さらに前記時間計測手段による時間計測結果に基づいて、予め定めた時間が経過するごとに、段階的に点灯する蛍光ランプの数を増加させていくことを特徴とする液晶表示装置。
【請求項３】
液晶パネルと、該液晶パネルを照明する複数の蛍光ランプを備えたバックライトと、該バックライトの蛍光ランプの点灯を制御する点灯制御手段とを備える液晶表示装置であって、該液晶表示装置の操作を行うために使用するリモコン装置からの赤外線信号を受信する赤外線受光部を備えた液晶表示装置において、
該液晶表示装置は、該液晶表示装置のバックライト近傍の温度を計測する温度計測手段を有し、
前記点灯制御手段は、前記温度計測手段による温度計測結果に基づいて、前記計測温度が予め定められた温度以下の場合は、前記複数の蛍光ランプのうち、所定の一部の蛍光ランプのみを点灯させることを特徴とする液晶表示装置。
【請求項４】
液晶パネルと、該液晶パネルを照明する複数の蛍光ランプを備えたバックライトと、該バックライトの蛍光ランプの点灯を制御する点灯制御手段とを備える液晶表示装置であって、該液晶表示装置の操作を行うために使用するリモコン装置からの赤外線信号を受信する赤外線受光部を備えた液晶表示装置において、
該液晶表示装置は、該液晶表示装置のバックライト近傍の温度を計測する温度計測手段を有し、
前記点灯制御手段は、前記温度測手段による温度測結果に基づいて、計測温度が予め定めた温度まで上昇するごとに、段階的に点灯する蛍光ランプの数を増加させていくことを特徴とする液晶表示装置。
【請求項５】
液晶パネルと、該液晶パネルを照明する複数の蛍光ランプを備えたバックライトと、該バックライトの蛍光ランプの点灯を制御する点灯制御手段とを備える液晶表示装置であって、該液晶表示装置の操作を行うために使用するリモコン装置からの赤外線信号を受信する赤外線受光部を備えた液晶表示装置において、
該液晶表示装置は、該液晶表示装置の電源がＯＮになった時点からの時間を計測する時間計測手段と、
該液晶表示装置は、該液晶表示装置のバックライト近傍の温度を計測する温度計測手段を有し、
前記点灯制御手段は、前記時間計測手段による時間計測結果に基づいて、前記液晶表示装置の電源がＯＮになった時点から予め定められた時間が経過するまでの間は、前記複数の蛍光ランプのうち、所定の一部の蛍光ランプのみを点灯させる時間点灯制御と、前記温度計測手段による温度計測結果に基づいて、前記計測温度が予め定められた温度以下の場合は、前記複数の蛍光ランプのうち、所定の一部の蛍光ランプのみを点灯させる温度点灯制御とを実行可能としたことを特徴とする液晶表示装置。
【請求項６】
液晶パネルと、該液晶パネルを照明する複数の蛍光ランプを備えたバックライトと、該バックライトの蛍光ランプの点灯を制御する点灯制御手段とを備える液晶表示装置であって、該液晶表示装置の操作を行うために使用するリモコン装置からの赤外線信号を受信する赤外線受光部を備えた液晶表示装置において、
該液晶表示装置は、該液晶表示装置の電源がＯＮになった時点からの時間を計測する時間計測手段と、
該液晶表示装置は、該液晶表示装置のバックライト近傍の温度を計測する温度計測手段を有し、
前記点灯制御手段は、前記液晶表示装置の電源がＯＮになった時点で前記複数の蛍光ランプのうち、一部の蛍光ランプのみを点灯させ、さらに前記時間計測手段による時間計測結果に基づいて、予め定めた時間が経過するごとに、段階的に点灯する蛍光ランプの数を増加させていく時間点灯制御と、前記温度測手段による温度測結果に基づいて、計測温度が予め定めた温度まで上昇するごとに、段階的に点灯する蛍光ランプの数を増加させていく温度点灯制御とを実行可能としたことを特徴とする液晶表示装置。
【請求項７】
請求項５または６に記載の液晶表示装置において、該液晶表示装置は、前記点灯制御手段による前記時間点灯制御と前記温度点灯制御とのいずれかまたは両方を機能させるように切替設定が可能な設定手段を有することを特徴とする液晶表示装置。
【発明の詳細な説明】
【技術分野】
【０００１】
本発明は、液晶表示装置に関し、より詳細には、液晶テレビ等の表示装置のリモコン信号の受信感度の低下を防ぐために、受信感度低下の要因となるバックライトの点灯制御を行うようにした液晶表示装置に関する。
【背景技術】
【０００２】
液晶パネルと、該液晶パネルを照明する複数の蛍光ランプを備えたバックライトとを備えた液晶表示装置が周知である。液晶テレビ等の液晶表示装置では、一般にリモコン装置を使用して、視聴者が液晶テレビの操作を行うことができる。
図４は、リモコン装置によって操作可能な液晶テレビの構成例を示す図である。図４において、１００は液晶テレビ、１４は液晶パネル、１７はリモコン信号を受光するリモコン受光部である。
【０００３】
周知のようにリモコン装置においては、その操作部をユーザが操作することにより、そのユーザ操作に応じた赤外線信号による制御コマンドが、リモコン装置から送信される。リモコン装置から送信された赤外線信号は、液晶テレビ１００の前面側に設けられたリモコン受光部１７で受光される。液晶テレビ１００では、リモコン受光部１７で受光したリモコン装置からの制御コマンドに従って、電源のＯＮ／ＯＦＦ、チャンネル切替、モード設定や各種設定値の入力、等の処理を実行する。
【０００４】
液晶テレビ１００には、通常バックライトが設けられ、バックライトの蛍光ランプによって液晶パネル１４の背面側を照明することにより、液晶パネル１４に表示される画像が視聴者によって視認できるようになっている。
【０００５】
上記のようなバックライトの蛍光ランプは、通常冷陰極型の光源であって、主としてネオン、アルゴン、水銀が封入されている。そして蛍光ランプにはインバータ制御により電圧が印加されることにより、蛍光ランプの内部で放電する。このとき、ガス状の水銀の励起により発せられる紫外線が、蛍光ランプの内壁に塗布された蛍光体を照射することにより、蛍光ランプが発光する。
【０００６】
このとき水銀の蒸気圧が比較的低いため、例えば、液晶テレビの起動時など、蛍光ランプの温度が低い時にはネオンとアルゴンの励起が支配的となる。このような状態では、バックライトの蛍光ランプからは、赤外から近赤外線が支配的となって放出される。
このような場合、リモコン装置からの制御コマンドが赤外線信号で送信されているため、バックライトから放出される赤外線がノイズとなって、リモコン操作に対して液晶テレビが動作しにくくなる、という問題が生じる。このような蛍光ランプの温度が相対的に低くノイズが発生しやすい状態は、上記液晶ディスプレイの起動時のみならず、冬季などの季節的な要因や液晶テレビが設置される場所の地理的要因などが影響する。
【０００７】
上記のような問題に対して、例えば、特許文献１では、リモコン装置からの赤外線信号を受光する受光部に、下側の視野角を制限する遮光手段を設け、バックライトの点灯直後に放出される赤外線が受光部に入射することを回避するようにした液晶ディスプレイ装置が開示されている。
【特許文献１】特開２００４−２７４３８９号公報
【発明の開示】
【発明が解決しようとする課題】
【０００８】
上記特許文献１は、主にバックライトから発生する赤外もしくは近赤外線のうち、液晶ディスプレイ装置の前面の床で乱反射したものについて、下側視野角を制限する遮光手段によって遮光しようとするものである。
しかしながら、近年の液晶ディスプレイの大型化に伴ってバックライトも大型化して、発生する赤外線量も増大していることから、上記特許文献１のような遮光手段では、受光部後方から放出する赤外線によるノイズを十分に遮断することができない。また、バックライトの大型化に伴う赤外線量の増大は、例えば、近傍にある他の機器のリモコン装置にも影響を与え、この点についても上記特許文献１の技術では対応することができない。
【０００９】
また、例えば、視聴者が液晶テレビの正面に立った場合、あるいは液晶テレビの近傍に赤外線を反射する壁や家具等が存在する場合には、バックライトから放出された赤外線が反射して受光部に入射してノイズの原因になる、といった問題も生じる。さらに、上記遮光手段のような付加的な部材を取り付けることは、受光部のコストアップの要因ともなる。
【００１０】
本発明は、上述のごとき実情に鑑みてなされたもので、バックライトの温度が低く赤外線量の放出が多い場合であっても、リモコンの受光感度の低下を防ぎ、信頼性をもってリモコン操作を行うことができるようにした液晶表示装置を提供することを目的とする。
【課題を解決するための手段】
【００１１】
上記課題を解決するために、第１の技術手段は、液晶パネルと、液晶パネルを照明する複数の蛍光ランプを備えたバックライトと、バックライトの蛍光ランプの点灯を制御する点灯制御手段とを備える液晶表示装置であって、液晶表示装置の操作を行うために使用するリモコン装置からの赤外線信号を受信する赤外線受光部を備えた液晶表示装置において、液晶表示装置は、液晶表示装置の電源がＯＮになった時点からの時間を計測する時間計測手段を有し、点灯制御手段は、時間計測手段による時間計測結果に基づいて、液晶表示装置の電源がＯＮになった時点から予め定められた時間が経過するまでの間は、複数の蛍光ランプのうち、所定の一部の蛍光ランプのみを点灯させることを特徴としたものである。
【００１２】
第２の技術手段は、液晶パネルと、液晶パネルを照明する複数の蛍光ランプを備えたバックライトと、バックライトの蛍光ランプの点灯を制御する点灯制御手段とを備える液晶表示装置であって、液晶表示装置の操作を行うために使用するリモコン装置からの赤外線信号を受信する赤外線受光部を備えた液晶表示装置において、液晶表示装置は、液晶表示装置の電源がＯＮになった時点からの時間を計測する時間計測手段を有し、点灯制御手段は、液晶表示装置の電源がＯＮになった時点で複数の蛍光ランプのうち、一部の蛍光ランプのみを点灯させ、さらに時間計測手段による時間計測結果に基づいて、予め定めた時間が経過するごとに、段階的に点灯する蛍光ランプの数を増加させていくことを特徴としたものである。
【００１３】
第３の技術手段は、液晶パネルと、液晶パネルを照明する複数の蛍光ランプを備えたバックライトと、バックライトの蛍光ランプの点灯を制御する点灯制御手段とを備える液晶表示装置であって、液晶表示装置の操作を行うために使用するリモコン装置からの赤外線信号を受信する赤外線受光部を備えた液晶表示装置において、液晶表示装置は、液晶表示装置のバックライト近傍の温度を計測する温度計測手段を有し、点灯制御手段は、温度計測手段による温度計測結果に基づいて、計測温度が予め定められた温度以下の場合は、複数の蛍光ランプのうち、所定の一部の蛍光ランプのみを点灯させることを特徴としたものである。
【００１４】
第４の技術手段は、液晶パネルと、液晶パネルを照明する複数の蛍光ランプを備えたバックライトと、バックライトの蛍光ランプの点灯を制御する点灯制御手段とを備える液晶表示装置であって、液晶表示装置の操作を行うために使用するリモコン装置からの赤外線信号を受信する赤外線受光部を備えた液晶表示装置において、液晶表示装置は、液晶表示装置のバックライト近傍の温度を計測する温度計測手段を有し、点灯制御手段は、温度測手段による温度測結果に基づいて、計測温度が予め定めた温度まで上昇するごとに、段階的に点灯する蛍光ランプの数を増加させていくことを特徴としたものである。
【００１５】
第５の技術手段は、液晶パネルと、液晶パネルを照明する複数の蛍光ランプを備えたバックライトと、バックライトの蛍光ランプの点灯を制御する点灯制御手段とを備える液晶表示装置であって、液晶表示装置の操作を行うために使用するリモコン装置からの赤外線信号を受信する赤外線受光部を備えた液晶表示装置において、液晶表示装置は、液晶表示装置の電源がＯＮになった時点からの時間を計測する時間計測手段と、液晶表示装置は、液晶表示装置のバックライト近傍の温度を計測する温度計測手段を有し、点灯制御手段は、時間計測手段による時間計測結果に基づいて、液晶表示装置の電源がＯＮになった時点から予め定められた時間が経過するまでの間は、複数の蛍光ランプのうち、所定の一部の蛍光ランプのみを点灯させる時間点灯制御と、温度計測手段による温度計測結果に基づいて、計測温度が予め定められた温度以下の場合は、複数の蛍光ランプのうち、所定の一部の蛍光ランプのみを点灯させる温度点灯制御とを実行可能としたことを特徴としたものである。
【００１６】
第６の技術手段は、液晶パネルと、液晶パネルを照明する複数の蛍光ランプを備えたバックライトと、バックライトの蛍光ランプの点灯を制御する点灯制御手段とを備える液晶表示装置であって、液晶表示装置の操作を行うために使用するリモコン装置からの赤外線信号を受信する赤外線受光部を備えた液晶表示装置において、液晶表示装置は、液晶表示装置の電源がＯＮになった時点からの時間を計測する時間計測手段と、液晶表示装置は、液晶表示装置のバックライト近傍の温度を計測する温度計測手段を有し、点灯制御手段は、液晶表示装置の電源がＯＮになった時点で複数の蛍光ランプのうち、一部の蛍光ランプのみを点灯させ、さらに時間計測手段による時間計測結果に基づいて、予め定めた時間が経過するごとに、段階的に点灯する蛍光ランプの数を増加させていく時間点灯制御と、温度測手段による温度測結果に基づいて、計測温度が予め定めた温度まで上昇するごとに、段階的に点灯する蛍光ランプの数を増加させていく温度点灯制御とを実行可能としたことを特徴としたものである。
【００１７】
第７の技術手段は、第５または第６の技術手段において、点灯制御手段による時間点灯制御と温度点灯制御とのいずれかまたは両方を機能させるように切替設定が可能な設定手段を有することを特徴としたものである。
【発明の効果】
【００１８】
本発明によれば、バックライトの温度が低く赤外線量の放出が多い場合であっても、リモコンの受光感度の低下を防ぎ、信頼性をもってリモコン操作を行うことができるようにした液晶表示装置を提供することができる。
【発明を実施するための最良の形態】
【００１９】
本発明の液晶表示装置の一実施形態では、液晶表示装置の電源立ち上げから所定時間の間、バックライトの蛍光ランプの点灯本数を減らし、バックライトから放出される赤外線量を削減することにより、リモコン装置からの制御コマンドの受信感度の低下を防ぐようにする。また、液晶テレビの立ち上げから時間経過に従って段階的に蛍光ランプの点灯本数を増加させるようにしてもよい。
【００２０】
また、本発明の液晶表示装置の他の実施形態では、液晶表示装置のバックライトの温度を検出し、その温度が所定の温度以下の場合には、バックライトの蛍光ランプの点灯本数を減らし、バックライトから放出される赤外線量を削減することにより、リモコン装置からの制御コマンドの受信感度の低下を防ぐようにする。また液晶テレビの電源が立ち上げられて、バックライトの温度が低温の状態から上昇していくときに、予め定めた温度条件に従って段階的に蛍光ランプの点灯本数を増加させるようにしてもよい。
【００２１】
さらに本発明の液晶表示装置の他の実施形態では、上記の時間による蛍光ランプの点灯制御機能と、バックライトの温度による蛍光ランプの点灯制御機能との両方を備え、これらの両方またはいずれかの点灯制御機能を実行するように切替設定が可能なように構成してもよい。
【００２２】
以下に本発明に液晶表示装置として適用可能な液晶テレビの構成例を説明する。なお、本発明は、液晶表示装置の電源ＯＮからの時間、あるいは液晶テレビのバックライトの温度条件に応じてバックライトの点灯制御を行うことを特徴とするものであり、以下の液晶テレビは、液晶表示装置の構成の一例を示すにすぎず、リモコン操作を行う種々の構成の液晶表示装置を本発明に適用することができる。
【００２３】
図１は、本発明の液晶表示装置として適用可能な液晶テレビの構成例を示すブロック図である。液晶テレビ１００は、アンテナで受信されたテレビ放送電波から希望するチャンネルを選局するチューナ１と、外部接続されたＡＶ機器からのビデオ信号を入力するビデオ入力端子２〜４と、外部接続されたパーソナルコンピュータ（ＰＣ）からのコンピュータ映像信号を入力するＰＣ入力端子５（例えば、Ｄ−Ｓｕｂ端子、ＤＶＩ端子など）と、チューナ１で選局されたテレビ受信信号と入力端子２〜４を介して入力された各ビデオ信号とを切替出力する映像切替スイッチ６とを備えている。なお、ここではチューナ１で選局されたテレビ受信信号と入力端子２〜４を介して入力された各ビデオ信号とが、テレビジョン映像信号に相当する。
【００２４】
Ｙ／Ｃ分離回路７は、映像切替スイッチ６より出力されたテレビジョン信号（コンポジット信号）を輝度信号Ｙと色信号Ｃと（ＹＣセパレート信号）に分離する。ＲＧＢデコーダ８は、Ｙ／Ｃ分離回路７で得られた輝度信号Ｙと色信号ＣとからＲ、Ｇ、Ｂ各原色信号に変換して出力する。またＡ／Ｄ変換回路９は、ＲＧＢデコーダ８で得られたＲ、Ｇ、Ｂ信号をＡ／Ｄ変換する。
【００２５】
映像信号処理装置１０は、Ａ／Ｄ変換回路９で得られたＲ、Ｇ、Ｂ信号（テレビジョン映像信号）と、ＰＣ入力端子５より入力されたＰ、Ｇ、Ｂ信号（コンピュータ映像信号）とのそれぞれに対して、各入力映像信号フォーマットに応じた所望の映像処理（例えば、色空間変換処理、ＩＰ（Interlace To Progressive）変換処理、スケーリング処理、ＦＲＣ（Frame Rate Conversion）処理、γ補正処理、色補正処理及び同期検出処理など）を施し、選択的に切替出力する。
【００２６】
そしてＬＣＤコントローラ１１は、映像信号処理装置１０より出力されたＲ、Ｇ、Ｂ信号（画像表示信号）に基づいて、ソースドライバ１２へ出力する階調データ及び信号線制御信号を生成するとともに、ゲートドライバ１３へ出力する走査線制御信号を生成し、液晶パネル１４における画像表示制御を行う。またＬＣＤコントローラ１１は、インバータ回路等を備えた光源駆動回路１５へ出力するバックライト制御信号を生成し、バックライト１６の蛍光ランプの発光駆動制御を行う。
【００２７】
リモコン受光部１７は、リモコン装置からの赤外線信号を受信する。そしてマイコン１８は、リモコン受光部１７が受信した赤外線信号を検出・解析し、チューナ１，映像切替スイッチ６，映像信号処理装置１０，及びＬＣＤコントローラ１１の各部に対して所定の制御信号を出力する。
【００２８】
またマイコン１８は、ユーザによる設定指示に応じて、チューナ１による番組選局、映像切替スイッチ６によるテレビ受信信号と外部ビデオ信号との出力切替、映像信号処理装置１０によるテレビジョン映像信号とコンピュータ映像信号との出力切替、などの制御を行う。
【００２９】
時計用発振子１９は、液晶テレビの時刻情報を生成するためのもので、通常、時刻の単位時間を示すクロック信号を発生する水晶発振子により構成される。そしてマイコン１８は、時計用発振子１９からのクロック信号をカウントするカウンタを有し、カウンタでカウントされた時間を用いて、設定入力された初期時刻データを基に、実際の時刻を計測する。
そして本発明の特徴である電源立ち上げ時におけるバックライトの点灯制御時間を計測するために、時計用発振子１９及びマイコン１８を使用する。
またバックライトの点灯制御時間の計測は、上記の時計用発振子１９に限らず、何らかの時間計測を行うことができる手段、例えば、マイコンのクロック周波数等を利用して時間計測する手段等を適宜設定できる。
【００３０】
温度センサ２０は、本発明の他の特徴である温度に応じたバックライトの点灯制御を行うためのセンサとして使用する。温度センサ２０の取り付け位置は、バックライトの蛍光ランプの温度をできるだけ正確に検知できるように、バックライトユニット近傍に取り付けることが好ましい。
なお温度センサ２０として、液晶パネル１４の画質特性（コントラスト、γ特性等）や応答特性を補正するために使用する温度センサを併用してもよい。液晶パネル１４は、通常、画質特性（コントラスト、γ特性等）や応答特性が温度によって微妙に変化する。そのため、画質特性ないし応答特性を温度に応じて補正する機構を備えている。例えば、これらの温度補正用のデータは、ルックアップテーブルに数種類設けておき、液晶パネル使用時の環境温度に応じて最適なデータを使用するようにしている。本発明に関わるバックライトの点灯制御を行うために、上記の画質／応答特性補正用の温度センサによる温度検知結果を使用してもよい。
【００３１】
図２は、上記液晶テレビ等の制御コマンドを送信するために使用するリモコン装置の構成例を示す図である。リモコン装置３０は、リモコン装置本体の動作を制御する制御部３１と、ユーザによる入力操作が行われる操作部３２と、操作部３２における操作に応じた制御コマンドを送信する送信部３３と、リモコン装置本体各部に動作電源を供給する電源回路３４と、を備えている。
【００３２】
操作部３２は、例えばリモコン装置３０の本体表面に設けられた複数のリモコンキーを有して構成される。そして制御部３１は、リモコンキーが操作されたことを検出するキー検出部３１ａと、キー検出部３１ａで検出されたキー情報に従って、どのようなリモコンデータを送信するかを演算する演算制御部３１ｂと、演算制御部３１ｂで演算された情報に従ってリモコンパルスによる制御コマンドを発生させるリモコンパルス発生部３１ｃとを有している。
【００３３】
また、送信部３３は、リモコンパルス発生部３１ｃで発生されたリモコンパルスを電流増幅するＩＲ−ＬＥＤバッファ３３ｂと、ＩＲ−ＬＥＤバッファ３３ｂで電流増幅されたリモコンパルスを出力する赤外線出力ＬＥＤ（ＩＲ−ＬＥＤ）３３ａとを有し、操作部３２で操作されたリモコンキーに応じた赤外線信号による制御コマンドが送信される。
【００３４】
図３は、図１に示した液晶テレビの光源駆動回路及びバックライトの構成例を示す図である。バックライト１６は、液晶パネル１４を照明する陰極管（ＣＣＦＴ：Cold Cathode Fluorescent Tube）からなる複数の蛍光ランプ６１が備えられる。
光源駆動回路１５は、ＬＣＤコントローラ１１からの表示制御信号に従ってバックライト１６の点灯制御を行うマイコン（マイクロコンピュータ）４０と、複数のインバータ５１を備えたインバータ回路５０からなっている。インバータ回路５０は、商用電源から変換された直流電圧を数十Ｋ〜数百ＫＨｚの高周波電圧に変換してバックライト１６を駆動する。
【００３５】
また上記の他、光源駆動回路１５には、外部の商用電源から適切な直流電源に変換して装置に供給するＡＣアダプタと、ＡＣアダプタから供給される電源電圧を整流してマイコン４０に所定の直流電圧を出力するレギュレータ（いずれも図示せず）とが含まれる。
なおここでは４つの蛍光ランプ６１を備えた構成を例示しているが、蛍光ランプ６１やインバータ５１の個数及び配置は液晶パネル１４の寸法等に応じて適宜定められる。
【００３６】
マイコン４０は、マイコン内部及び外部の装置に対してバックライトの点灯制御を行う制御手段４１と、インバータ回路５０に調光パルスを供給する調光パルス発生回路４２と、調光パルス発生回路４２により生成した調光パルスのパルス幅及び周期を変調してインバータ回路５０に入力するＰＷＭ（Pulse Width Modulation：パルス幅変調）部４３とを備えている。
【００３７】
調光パルス発生回路４２は、基準発振クロックを生成する基準発振器（図示せず）を有しており、このクロックに基づいて調光パルスを生成する。ここでは一つの基準発振器により周波数の異なる複数の調光パルスを生成して各ＰＷＭ部４３に出力するようにしてもよいし、複数の基準発振器を備え、それぞれが異なる周期の調光パルスを各ＰＷＭ部４３に出力するようにしてもよい。
また各ＰＷＭ部４３は、バックライト１６の各蛍光ランプ６１にそれぞれ対応しているため、バックライト１６の蛍光ランプ６１と同数のＰＷＭ部４３をマイコン４０において備えるものとする。
【００３８】
インバータ回路５０は、上記のように複数のインバータ５１を含んでいる。各インバータ５１は、上記ＡＣアダプタの出力から供給される直流電圧をトリガーとして入力し数十Ｋ〜数百ＫＨｚの高周波電圧に変換して各蛍光ランプ６１に供給する。また、各インバータ５１には、調光パルス発生回路４２により生成され各ＰＷＭ部４３において変調された調光パルスが入力されており、この調光パルスにより各蛍光ランプ６１に供給する高周波電圧を調整するように構成されている。
【００３９】
本実施形態の光源駆動回路１５の制御手段４１は、上記バックライト点灯装置１５の基本駆動電源制御とは別に、液晶テレビの電源がＯＮにされた後所定時間の間、複数の蛍光ランプ６１のうち、一部の蛍光ランプ６１を消灯して蛍光ランプ６１の点灯本数を減らすことにより、バックライト１６から放出される赤外線量を減らすように制御する。
なお、本実施形態では、各蛍光ランプ６１のそれぞれのインバータ５１へ入力させる直流電流をＯＮ／ＯＦＦするスイッチを設け、マイコン４０の制御手段４１がそのスイッチを制御して所定の蛍光ランプを点灯させるインバータ５１のみに直流電流を供給するようにしてもよい。
【００４０】
ここでは、液晶テレビのマイコン１８は、液晶テレビの電源がＯＮとなって、消灯されていた蛍光ランプ６１の点灯を開始するときに、時計用発振子２０の発振等を用いて時間を計測し、その計測情報を光源駆動回路１５に出力する。光源駆動回路１５のマイコン４０の制御手段４１は、電源がＯＮになったときには、複数の蛍光ランプ６１のうち一部の蛍光ランプ６１のみを点灯させるように制御する。この場合、液晶テレビの電源立ち上げ時には、蛍光ランプ６１の温度が低下しているために、赤外線量の放出が相対的に大きい。従って点灯する蛍光ランプ６１を制限して、その一部のみを点灯させることにより、バックライト１６から放出される赤外線量を低減させて、リモコン装置による操作を確実に実行できるようにする。点灯させる蛍光ランプ６１の数や蛍光ランプ６１の位置は、組み込まれている蛍光ランプ６１の数や形状、及び点灯条件等に基づいて、リモコン装置の操作性を阻害しないように最適に定められる。
【００４１】
また、上記のように液晶テレビの電源立ち上げ時に点灯する蛍光ランプ６１を制限する場合、複数の蛍光ランプ６１のうちの点灯させる蛍光ランプの数を段階的に増加させてもよい。すなわち、蛍光ランプ６１の点灯が開始され、時間を経てその温度が上昇し、蛍光ランプ６１から放出される赤外線量が漸減していくときに、段階的に蛍光ランプ６１の点灯本数を増加させていくようにしてもよい。
【００４２】
また、光源駆動回路の他の実施形態では、上記制御手段４１は、バックライトの温度を温度センサ２０によって計測し、計測した温度が所定温度より低い場合には、一部の蛍光ランプ６１を消灯して蛍光ランプ６１の点灯本数を減らすことにより、バックライト１６から放出される赤外線量を減らすように制御する。
【００４３】
すなわち、バックライト近傍に配置した温度センサ２０によって、その温度を計測し、ＬＣＤコントローラ１１を介して計測情報を光源駆動回路１５に入力させる。光源駆動回路１５のマイコン４０の制御手段４１は、温度センサ２０による温度計測結果が、予め定めた温度より低い場合には、複数の蛍光ランプ６１のうち一部の蛍光ランプ６１を点灯させるように制御する。この場合、液晶テレビの電源立ち上げ時には、蛍光ランプ６１の温度が低下しているために、赤外線量の放出が相対的に大きい。従って点灯する蛍光ランプ６１を制限して、その一部のみを点灯させることにより、バックライト１６から放出される赤外線量を低減させて、リモコン装置による操作を確実に実行できるようにする。点灯させる蛍光ランプ６１の数は、蛍光ランプ６１の数や長さ、点灯条件等に基づいて、リモコン装置の操作性を阻害しないように最適に定められる。
【００４４】
また、上記のように点灯する蛍光ランプ６１を制限する場合、複数の蛍光ランプ６１のうちの点灯させる蛍光ランプの数を段階的に増加させてもよい。すなわち、蛍光ランプ６１の点灯が開始され、時間を経てその温度が上昇し、蛍光ランプ６１から放出される赤外線量が漸減していくときに、段階的に蛍光ランプ６１の点灯本数を増加させていくようにしてもよい。
【００４５】
また、さらに他の実施形態では、液晶表示装置に、上記のような電源立ち上げからの時間経過に伴う蛍光ランプ６１の点灯制御機能と、バックライト１６の温度計測に基づく蛍光ランプ６１の点灯制御機能との両方を備えるようにし、例えば、ユーザの設定入力に従って、これら点灯制御機能の両方またはいずれかを実行できるような切替設定を可能としてもよい。
【図面の簡単な説明】
【００４６】
【図１】本発明の液晶表示装置として適用可能な液晶テレビの構成例を示すブロック図である。
【図２】液晶テレビ等の制御コマンドを送信するために使用するリモコン装置の構成例を示す図である。
【図３】図１に示した液晶テレビの光源駆動回路及びバックライトの構成例を示す図である。
【図４】リモコン装置によって操作可能な液晶テレビの構成例を示す図である。
【符号の説明】
【００４７】
１…チューナ、２〜４…ビデオ入力端子、５…ＰＣ入力端子、６…映像切替スイッチ、７…Ｙ／Ｃ分離回路、８…ＲＧＢデコーダ、９…Ａ／Ｄ変換回路、１０…映像信号処理装置、１１…ＬＣＤコントローラ、１２…ソースドライバ、１３…ゲートドライバ、１４…液晶パネル、１５…光源駆動回路、１６…バックライト、１７…リモコン受光部、１８…マイコン、１９…時計用発振子、２０…温度センサ、３０…リモコン装置、３１…制御部、３１ａ…キー検出部、３１ｂ…演算制御部、３１ｃ…リモコンパルス発生部、３２…操作部、３３…送信部、３３ａ…ＩＲ−ＬＥＤ、３３ｂ…ＩＲ−ＬＥＤバッファ、３４…電源回路、４０…マイコン、４１…制御手段、４２…調光パルス発生回路、４３…ＰＷＭ部、５０…インバータ回路、５１…インバータ、６１…蛍光ランプ、１００…液晶テレビ。
【図１】
2007086632.tif 000003
【図２】
2007086632.tif 000004
【図３】
2007086632.tif 000005
【図４】
2007086632.tif 000006